(57)【特許請求の範囲】
【請求項１】
第１放電灯と第２放電灯とが直列接続で取り付けられる放電灯点灯装置において、
商用交流電源の供給をオン、オフする切替スイッチと、
前記切替スイッチがオンの場合に供給される前記商用交流電源を直流電源に変換する直流電源回路と、
スイッチング素子を有し、前記スイッチング素子のスイッチングにより前記直流電源を高周波電源に変換するスイッチング回路と、
前記スイッチング回路により変換された前記高周波電源を前記第１放電灯に供給する第１口出し線が取り付けられる第１口出し部と、前記第１口出し部に複数の配線によって接続されるとともに、前記スイッチング回路により変換された前記高周波電源を前記第２放電灯に供給する第２口出し線が取り付けられる第２口出し部とを有する放電灯負荷回路とが配置されたプリント配線基板とを備え、
前記第１口出し部は、
前記プリント配線基板の２組の対辺のうちの一方の対辺の一方の辺の近傍に配置され、
前記第２口出し部は、
前記一方の対辺の前記一方の辺に対応する他方の辺の近傍に配置され、
前記切替スイッチは、
前記２組の対辺のうち他方の対辺の間の略中央のいずれかの位置に配置され、
前記第１口出し部と前記第２口出し部とを接続する前記複数の配線は、
前記プリント配線基板の外縁に沿って並んでプリントされたプリント配線であると共に、前記複数の配線のそれぞれの一部が前記２組の対辺のうちの他方の対辺の一方の辺に沿って形成され、
前記プリント配線基板は、さらに、
前記２組の対辺のうちの前記他方の対辺の他方の辺の近傍に、ノイズフィルタ回路が配置され、
前記直流電源回路は、
前記ノイズフィルタ回路が配置される前記他方の辺の近傍に配置され、
前記プリント配線基板は、さらに、
前記切替スイッチを前記ノイズフィルタ回路を介して前記直流電源回路に接続することによって前記商用交流電源を前記直流電源回路に供給するプリント配線であって、前記複数の配線の前記一部が形成された前記２組の対辺のうちの前記他方の対辺の一方の辺に向かうことなく、前記切替スイッチから前記ノイズフィルタ回路を介して前記直流電源回路に向かうプリント配線であるＡＣ電源ラインが形成され、
前記放電灯負荷回路は、
共振用インダクタを備えた共振回路であり、
前記スイッチング回路は、
直列接続の第１スイッチング素子と第２スイッチング素子とを有するとともに、前記直列接続の中間の中間点が前記プリント配線基板にプリントされたプリント配線によって前記共振用インダクタに接続され、
前記中間点と前記共振用インダクタとを接続する前記プリント配線は、
前記プリント配線基板の外縁に沿って並んでプリントされた前記第１口出し部と前記第２口出し部とを接続する前記複数の配線とともに前記外縁に沿って並んでプリントされ、かつ、前記２組の対辺のうちの前記他方の対辺の一方の辺に沿って形成された前記複数の配線の前記一部と平行な平行部分をすることを特徴とする放電灯点灯装置。
【請求項２】
第１放電灯と第２放電灯とが直列接続で取り付けられる放電灯点灯装置において、
商用交流電源の供給をオン、オフする切替スイッチと、
前記切替スイッチがオンの場合に供給される前記商用交流電源を直流電源に変換する直流電源回路と、
スイッチング素子を有し、前記スイッチング素子のスイッチングにより前記直流電源を高周波電源に変換するスイッチング回路と、
前記スイッチング回路により変換された前記高周波電源を前記第１放電灯に供給する第１口出し線が取り付けられる第１口出し部と、前記第１口出し部に複数の配線によって接続されるとともに、前記スイッチング回路により変換された前記高周波電源を前記第２放電灯に供給する第２口出し線が取り付けられる第２口出し部とを有する放電灯負荷回路とが配置されたプリント配線基板とを備え、
前記第１口出し部は、
前記プリント配線基板の２組の対辺のうちの一方の対辺の一方の辺の近傍に配置され、
前記第２口出し部は、
前記一方の対辺の前記一方の辺に対応する他方の辺の近傍に配置され、
前記切替スイッチは、
前記２組の対辺のうちの他方の対辺の間の略中央のいずれかの位置に配置され、
前記放電灯負荷回路は、
共振用インダクタを備えた共振回路であり、
前記スイッチング回路は、
直列接続の第１スイッチング素子と第２のスイッチング素子とを有するとともに、前記直列接続の中間の中間点が前記プリント配線基板にプリントされたプリント配線によって前記共振用インダクタに接続され、
前記中間点と前記共振用インダクタとを接続する前記プリント配線は、
前記プリント配線基板の外縁に沿ってプリントされたプリント配線であると共に、その一部が前記２組の対辺のうちの他方の対辺の一方の辺に沿って形成され、
前記プリント配線基板は、さらに、
前記２組の対辺のうちの他方の対辺の他方の辺の近傍に、ノイズフィルタ回路が配置され、
前記直流電源回路は、
前記ノイズフィルタ回路が配置される前記他方の辺の近傍に配置され、
前記プリント配線基板は、さらに、
前記切替スイッチを前記ノイズフィルタ回路を介して前記直流電源回路に接続することによって前記商用交流電源を前記直流電源回路に供給するプリント配線であって、前記中間点と前記共振用インダクタとを接続する前記プリント配線が形成された前記２組の対辺のうちの前記他方の対辺の一方の辺に向かうことなく、前記切替スイッチから前記ノイズフィルタ回路を介して前記直流電源回路に向かうプリント配線であるＡＣ電源ラインが形成さていることを特徴とする放電灯点灯装置。
【請求項３】
請求項１〜２のいずれかに記載の放電灯点灯装置と、
前記第１口出し部に取り付けられた第１口出し線と、
前記第１口出し線の前記第１口出し部の側と反対の側に取り付けられた第１放電灯用の第１ソケットと、
前記第２口出し部に取り付けられた第２口出し線と、
前記第２口出し線の前記第２口出し部の側と反対の側に取り付けられた第２放電灯用の第２ソケットと
を備えたことを特徴とする照明器具。
【発明の詳細な説明】
【技術分野】
【０００１】
この発明は、放電灯を点灯させる放電灯点灯装置に関する。
【背景技術】
【０００２】
複数のランプを点灯させる放電灯点灯装置の負荷回路構成は、並列点灯方式、直列点灯方式が一般的であるが、低コスト化の為に、チョークコイルが１つで済む直列点灯方式が主流になりつつある。特に、住宅照明用に使用される照明器具は、今までは、間引き点灯可能な並列点灯方式が採用されていたが、市場ニーズの変化により、間引きの必要性が低下している為、直列点灯方式に移行しつつある。
【０００３】
図１２は、従来の住宅用の吊り下げ型照明器具１０００を示す。従来の住宅用の吊り下げ型照明器具１０００は、引き紐８１が取り付けられ、商用交流電源のＯＮ／ＯＦＦの切り替えや、全光、調光、豆球の切り替えを行う切替スイッチ８０を備えた放電灯点灯装置１００と、円形ランプ（放電灯）と、反射板などから構成されている。吊り下げ型照明器具１０００の中央から出ている引き紐８１を引くことで全光、調光、豆球、消灯などの切り替えができる。引き紐８１は、上記のように、放電灯点灯装置１００の切替スイッチ８０に接続されており、切替スイッチ８０は、放電灯点灯装置１００のプリント配線基板に実装されている。図１３は、放電灯点灯装置１００のプリント配線基板６０の部品配置を部品面からみた状態を示している。図１３では、ノイズフィルタ回路１０、電源回路２０、スイッチング回路３０、放電灯負荷回路４０、出力線口出し部７１、出力線口出し部７２、切替スイッチ８０を示している。吊り下げ型器具１０００は器具の重量バランスが求められる為、切替スイッチ８０は、プリント配線基板６０の略中央に配置される。また、２灯用の吊り下げ型照明器具１０００を例にとると、出力のランプ配線の出口（出力線口出し部７１、出力線口出し部７２）は、ランプ接続の誤配線を防止する為に、お互いに離して配置することが望ましく、このため、図１３に示すように、出力線口出し部７１、出力線口出し部７２は、プリント配線基板６０の対辺に配置されることが多い。
【０００４】
図１４は、２灯用の放電灯点灯回路において、互いの口出し部を接近させて配置した場合を示す図である。この図１４に対して、図１３に示したように２つの口出し部を対辺に配置したいという要請があるため、プリント配線基板６０上に２灯式の直列点灯負荷回路を配置しようとすると、図１５に示すように、スイッチング回路（インバータ回路とも呼ばれる）による高周波電流が流れるランプ接続点のプリント配線（負荷回路高周波電流パターン）を、プリント配線基板６０の端（対辺の一方の辺）から端（対辺の他方の辺）へ引き回す必要がある。この高周波基板配線（負荷回路高周波電流パターン）が切替スイッチ８０の近くに配線されると、高周波放射ノイズが入力のノイズフィルタ回路１０を介さず、直にＡＣ電源ライン（ＡＣパターン）へ伝搬され、結果として、雑音端子電圧や妨害電力といったノイズ性能が悪化する課題があった。
【０００５】
この高周波ノイズに関する先行技術として、特開平４−５６０９８号公報（特許文献１）がある。しかし、特開平４−５６０９８号公報（特許文献１）は、放電灯点灯装置に配置されたマイクロコンピュータへの前記高周波ノイズの対策に関する技術であり、ＡＣ電源ラインへの伝播に関するものではない。
【特許文献１】特開平４−５６０９８号公報
【発明の開示】
【発明が解決しようとする課題】
【０００６】
この発明は、２灯の放電灯が直列接続され、かつ、それぞれの放電灯に対応した２つの出力線口出し部がプリント配線基板の対辺に配置される放電灯点灯装置において、スイッチング回路による生成される高周波電流に伴う高周波ノイズが、電源ラインに伝搬することを防止する放電灯点灯装置の提供を目的とする。
【課題を解決するための手段】
【０００７】
この発明の放電灯点灯装置は、
第１放電灯と第２放電灯とが直列接続で取り付けられる放電灯点灯装置において、
商用交流電源の供給をオン、オフする切替スイッチと、
前記切替スイッチがオンの場合に供給される前記商用交流電源を直流電源に変換する直流電源回路と、
スイッチング素子を有し、前記スイッチング素子のスイッチングにより前記直流電源を高周波電源に変換するスイッチング回路と、
前記スイッチング回路により変換された前記高周波電源を前記第１放電灯に供給する第１口出し線が取り付けられる第１口出し部と、前記第１口出し部に複数の配線によって接続されるとともに、前記スイッチング回路により変換された前記高周波電源を前記第２放電灯に供給する第２口出し線が取り付けられる第２口出し部とを有する放電灯負荷回路と
が配置されたプリント配線基板を備え、
前記第１口出し部は、
前記プリント配線基板の２組の対辺のうちの一方の対辺の一方の辺の近傍に配置され、
前記第２口出し部は、
前記一方の対辺の前記一方の辺に対応する他方の辺の近傍に配置され、
前記切替スイッチは、
前記２組の対辺のうち他方の対辺の間の略中央のいずれかの位置に配置され、
前記第１口出し部と前記第２口出し部とを接続する前記複数の配線は、
前記プリント配線基板の外縁に沿って並んでプリントされたプリント配線であることを特徴とする。
【発明の効果】
【０００８】
この発明により、２灯の放電灯が直列接続され、かつ、それぞれの放電灯に対応した２つの出力線口出し部がプリント配線基板の対辺に配置される放電灯点灯装置において、スイッチング回路による生成される高周波電流に伴う高周波ノイズが、電源ラインに伝搬することを防止する放電灯点灯装置を提供することができる。
【発明を実施するための最良の形態】
【０００９】
実施の形態１．
図１〜図３を参照して実施の形態１を説明する。実施の形態１は、放電灯であるランプＡ（第１放電灯）とランプＢ（第２放電灯）とが直列接続で取り付けられる放電灯点灯装置１００において、放電灯点灯装置１００を構成するプリント配線基板６０の外周に、放電灯負荷回路４０の高周波電流が流れるパターン（第１パターン２０１〜第３パターン２０３）を配置する実施形態である。このように、放電灯負荷回路４０の高周波電流が流れるパターンをプリント配線基板６０の外周（外縁）に配置することで、これらのパターンから放射されるノイズが、ノイズフィルタ回路１０を介さずにＡＣ電源ライン８２へ戻る事を最小限に防ぐ効果がある。また、高周波電流が流れるパターンが数本ある場合、ノイズ成分が大きいパターンをプリント配線基板の一番外側に配置することで、より効果的となる。
【００１０】
図１は、プリント配線基板６０を部品配置側に対して裏側となるパターン面からみた図である。図１は、ランプＡ（第１放電灯）とランプＢ（第２放電灯）とが、直列接続で取り付けられる放電灯点灯装置１００のプリント配線基板６０のパターン面における部品配置を示している。図２は、図１のスイッチング回路３０及び放電灯負荷回路４０のプリント配線を具体的に示す図である。なお、図２には、切替スイッチ８０は示していない。放電灯点灯装置１００は、プリント配線基板６０及びプリント配線基板６０に配置された部品によって構成される。図１に示すように、放電灯負荷回路４０の高周波電流が流れるパターン（第１パターン２０１〜第３パターン２０３）は、プリント配線基板６０の外周に配置されている。
【００１１】
図１に示すように、放電灯点灯装置１００のプリント配線基板６０には、ＡＣ電源ライン８２が接続された切替スイッチ８０、ノイズフィルタ回路１０、電源回路２０（直流電源回路）、スイッチング回路３０、放電灯負荷回路４０などが配置されている。プリント配線基板６０は、図１に示すように、略長方形の形状である。略長方形の形状は一例であり、プリント配線基板６０の形状は、２組の対辺を持つ四辺形、例えば矩形（長方形あるいは正方形）でもよい。
【００１２】
（構成要素）
図１、図２を参照して、放電灯点灯装置１００の部品、回路を説明する。
（１）切替スイッチ８０は、商用交流電源１の供給をオン、オフする。実施の形態７で後述する図１０に示すように、切替スイッチ８０のＡＣ電源ライン８２には、商用交流電源１を供給するリード線であるＡＣ供給線が接続する。切替スイッチ８０は、このＡＣ供給線から供給される交流電源をＯＮ／ＯＦＦする。また、図１に示すように、プリント配線基板６０には、ＡＣ供給線からの交流電源を電源回路２０に供給するＡＣ電源ライン８２がプリントされている。ＡＣ電源ライン８２は、第１パターン２０１等と平行な部分を有するが、実施の形態４で後述するように、この平行な部分と、第１パターン２０１等との間の位置に後述の制御回路９０が配置される。
（２）ノイズフィルタ回路１０は、高周波ノイズがＡＣ電源ライン８２に伝搬するのを防止する機能を有する。
（３）電源回路２０（直流電源回路）は、切替スイッチ８０がオンの場合に供給される商用交流電源１を直流電源に変換する。
（４）スイッチング回路３０は、図２に示すように、２つのスイッチング素子３１，３２を有し、これら２つのスイッチング素子のスイッチングにより電源回路２０を高周波電源に変換する。
（５）放電灯負荷回路４０は、図２に示すように、スイッチング回路３０により変換された高周波電源をランプＡ（第１放電灯）に供給する第１口出し線７１１〜７１４が取り付けられるランプＡ用口出し部７１（第１口出し部）を有する。ランプＡ用口出し部７１では、接続点７１−１には第１口出し線７１１が接続され、接続点７１−２には第１口出し線７１２が接続され、接続点７１−３には第１口出し線７１３が接続され、接続点７１−４には第１口出し線７１４が接続される。これらの口出し線７１１〜７１４は、ランプＡのフィラメントに接続する。また、放電灯負荷回路４０は、ランプＡ用口出し部７１に複数の配線（第１パターン２０１、第２パターン２０２、第３パターン２０３）によって直列に接続されるとともに、スイッチング回路３０により変換された高周波電源をランプＢ（第２放電灯）に供給する第２口出し線７２１〜７２４が取り付けられるランプＢ用口出し部７２（第２口出し部）とを有している。ランプＢ用口出し部７２では、接続点７２−１には第２口出し線７２１が接続され、接続点７２−２には第２口出し線７２２が接続され、接続点７２−３には第２口出し線７２３が接続され、接続点７２−４には第２口出し線７２４が接続される。これらの口出し線７２１〜７２４は、ランプＢのフィラメントに接続する。放電灯負荷回路４０は共振回路であり、図２に示すように、スイッチング回路３０に接続される共振用インダクタ４１（チョ−クコイル）、始動用コンデンサ４２、予熱用コンデンサ４３、結合コンデンサ４４を備えている。共振用インダクタ４１は、直列接続の第１スイッチング素子３１と第２スイッチング素子３２との直列接続の間の中間位置である中間点３３に、パターン３０１（プリント配線）によって接続されている。また、図２において予熱用コンデンサ４３の上側に直列接続しているコイルは、共振用インダクタ４１（チョークコイル）の２次巻線である。
【００１３】
ランプＡ用口出し部７１は、図１、あるいは図２に示すように、略長方形のプリント配線基板６０の２組の対辺のうちの一方の対辺の一方の辺６１の近傍に配置される。また、ランプＢ用口出し部７２部は、前記一方の対辺の前記一方の辺に対応する他方の辺６２の近傍に配置される。このように２つの口出し部が対辺に配置されるのは、背景技術でも述べたように、ランプ接続の誤配線を防止する為である。
【００１４】
図１に示すように、切替スイッチ８０は、プリント配線基板６０の略中央に配置されるが、これに限定するものではなく、プリント配線基板６０は、プリント配線基板６０の２組の対辺のうち口出し部が配置される対辺とは別の他方の対辺の間の略中央のいずれかの位置に配置されてもよい。すなわち、図１ではプリント配線基板６０の上部の辺６３、下部の辺６４の間の略中央のいずれかの位置（略中央において、辺６３に平行な左右方向のいずれかの位置）に配置されてもよい。スペース及び重量配分が許すのであれば、切替スイッチ８０は、高周波電流の流れる第１パターン２０１等がプリントされる辺６３よりも、できるだけ辺６４側に設置するのが好ましいのはもちろんである。
【００１５】
図１、図２に示すように、ランプＡ用口出し部７１とランプＢ用口出し部７２とを接続するプリント配線である第１パターン２０１、第２パターン２０２、第３パターン２０３は、それぞれの少なくとも一部が、プリント配線基板６０の外周（外縁）に沿って並んで（辺６３に沿って平行に）プリントされている。第１パターン２０１は、接続点７１−４と接続点７２−４とを結び、第２パターン２０２は、接続点７１−３と接続点７２−３とを結び、第３パターン２０３は、接続点７１−２と接続点７２−２とを結んでいる。第４パターン２０４は、接続点７２−１とスイッチング回路３０のアース側とを結んでおり、第５パターン２０５は、接続点７１−１と共振用インダクタ４１とを結んでいるので、プリント配線基板６０の端（対辺の一方の辺）から端（対辺の他方の辺）へ引き回されることはないが、切替スイッチ８０から遠ざけて配置することが好ましいのはもちろんである。
【００１６】
図３は、図１、図２に示した放電灯点灯装置１００の回路図の例を示す図である。なお、ノイズフィルタ回路１０は示していない。切替スイッチ８０により商用交流電源の供給がＯＮ／ＯＦＦされる。電源回路２０は、ダイオードブリッジ２１（整流回路）と昇圧チョッパ回路２２とから構成されている。また、スイッチング回路３０は、マイクロコンピュータを介してドライブ回路によりスイッチングされる。マイクロコンピュータとドライブ回路とは、実施の形態４で述べる制御回路の一例である。
【００１７】
以上のように実施の形態１における放電灯点灯装置１００では、放電灯負荷回路４０の高周波電流が流れるプリント配線をプリント配線基板６０の外周に沿って配置した。すなわち、高周波電流の発生する第１パターン２０１〜第３パターン２０３がＡＣ電源ライン８２から離れた位置に形成されているため、高周波ノイズが、ノイズフィルタ回路１０を介さずにＡＣ電源ライン８２へ戻る事を最小限に防ぐことができる。
【００１８】
実施の形態２．
図４を参照して実施の形態２を説明する。図４は、プリント配線基板６０を部品配置側に対して裏側となるパターン面からみた図である。実施の形態２は、スイッチング回路３０の高周波電流が流れるパターン３０１（プリント配線）を、プリント配線基板６０基板の外周（外縁）に配置した形態である。
【００１９】
図４に示すように、中間点３３と共振用インダクタ４１とを接続するパターン３０１が、プリント配線基板６０の外縁に沿って（辺６３に沿って）プリントされている。このように、スイッチング回路３０の高周波電流が流れるパターン３０１をプリント配線基板６０の外周（辺６３）に沿って配置したので、パターン３０１から放射される高周波ノイズが、ノイズフィルタ回路１０を介さずに電源ラインへ戻る事を最小限に防ぐことができる。すなわち、スイッチング回路３０における高周波電流が流れるパターン３０１を基板の外周に配置することで、実施の形態１と同様な効果が得られる。この実施の形態２は、放電灯点灯装置１００に発生するノイズ成分のうち、スイッチング回路３０に流れる高周波電流によるものが支配的な場合、特に有効である。
【００２０】
実施の形態３．
図５を参照して実施の形態３を説明する。図５は、プリント配線基板６０を部品配置側に対して裏側となるパターン面からみた図である。実施の形態３は、実施の形態１と実施の形態２とを合わせた実施形態である。すなわち、放電灯負荷回路４０における高周波電流が流れる第１パターン２０１〜第３パターン２０３に加えて、スイッチング回路３０の高周波電流が流れるパターン３０１も、プリント配線基板６０基板の外周（外縁）に配置した形態である。
【００２１】
図５に示すように、中間点３３と共振用インダクタ４１とを接続するパターン３０１が、プリント配線基板６０の外縁に沿って並んでプリントされた第１パターン２０１、第２パターン２０２、第３パターン２０３とともに、外縁（辺６３）に沿って並んでプリントされている。このように、実施の形態３の放電灯点灯装置１００は、放電灯負荷回路４０における高周波電流が流れるプリント配線とスイッチング回路３０における高周波電流が流れるプリント配線とをプリント配線基板の外周に沿って配置したので、これらのパターンから放射される高周波ノイズが、ノイズフィルタ回路１０を介さずに電源ラインへ戻る事を最小限に防ぐことができる。
【００２２】
実施の形態４．
図６を参照して実施の形態４を説明する。図６は、プリント配線基板６０を部品配置側に対して裏側となるパターン面からみた図である。実施の形態４は、実施の形態１に、さらに、制御回路９０の配置を追加した実施形態である。実施の形態４は、放電灯点灯装置１００を制御する制御回路９０を、プリント配線基板６０の外周に配置した放電灯負荷回路４０の高周波パターン（第１パターン２０１〜第３パターン２０３）と、切替スイッチ８０と電源回路とを接続するＡＣ電源ライン８２（プリント配線）との間に配置する。図６に示すように、プリント配線基板６０には、ＡＣ供給線からの交流電源を電源回路２０に供給するＡＣ電源ライン８２がプリントされている。このＡＣ電源ライン８２は、第１パターン２０１等と平行な部分を有する。制御回路９０は、この平行な部分と、第１パターン２０１等との間の位置に配置される。制御回路９０は、動作電圧が３０ボルト以下であり、所定の制御対象の回路（例えばスイッチング回路３０）を制御する。
【００２３】
以上の実施の形態４の放電灯点灯装置１００では、放電灯負荷回路４０における高周波電流が流れるプリント配線とスイッチ機構に接続されているプリント配線との間に、所定の回路を制御する動作電圧３０ボルト以下の制御回路９０を配置したので、ノイズ成分を除去する目的で配置された制御回路９０中のノイズ除去用コンデンサにより、高周波パターンから伝搬されたノイズが減衰される効果がある。図７は、制御回路９０（制御回路パターン）中に配置されたノイズ除去用コンデンサを示す図である。図７に示すように制御回路９０（制御回路パターン）には複数のノイズ除去用コンデンサが配置されている。
【００２４】
実施の形態５．
図８を参照して実施の形態５を説明する。図８は、プリント配線基板６０を部品配置側に対して裏側となるパターン面からみた図である。実施の形態５は、実施の形態２に、さらに、実施の形態４と同様に制御回路９０の配置を追加した実施形態である。実施の形態５は、放電灯点灯装置１００を制御する制御回路９０を、プリント配線基板６０の外周に配置したスイッチング回路３０の高周波電流が流れるパターン３０１と、切替スイッチ８０と電源回路２０とを接続するＡＣ電源ライン８２（プリント配線）との間に配置する。制御回路９０は、動作電圧が３０ボルト以下であり、所定の制御対象の回路（例えばスイッチング回路３０）を制御する。
【００２５】
以上の実施の形態５の放電灯点灯装置１００では、スイッチング回路の高周波電流が流れるパターン３０１と、スイッチ機構に接続されているＡＣ電源ライン８２との間に、所定の回路を制御する動作電圧３０Ｖ以下の制御回路を配置したので、制御回路９０中のノイズ成分を除去する目的で配置されたコンデンサにより、高周波パターンから伝搬されたノイズが減衰される効果がある。
【００２６】
実施の形態６．
図９を参照して実施の形態６を説明する。図９は、プリント配線基板６０を部品配置側に対して裏側となるパターン面からみた図である。実施の形態６は、実施の形態３に、さらに、実施の形態と同様に、制御回路９０の配置を追加した実施形態である。実施の形態６は、放電灯点灯装置１００を制御する制御回路９０を、プリント配線基板６０の外周に配置した放電灯負荷回路４０の高周波パターン及びスイッチング回路３０の高周波電流が流れるパターン３０１と、切替スイッチ８０と電源回路とを接続するＡＣ電源ライン８２との間に配置する実施形態である。前述のように制御回路９０は、動作電圧が３０ボルト以下であり、所定の制御対象の回路（例えばスイッチング回路３０）を制御する。このように間に配置することで、制御回路９０中のノイズ成分を除去する目的で配置されたコンデンサにより、高周波パターンから伝搬されたノイズが減衰される効果がある。
【００２７】
図９に示すように、切替スイッチ８０は、プリント配線基板６０にプリントされたＡＣ電源ライン８２により、ノイズフィルタ回路１０を介して、電源回路２０に接続される。制御回路９０は、プリント配線基板６０の外縁に沿って並んでプリントされた第１パターン２０１〜第３パターン２０３及びパターン３０１と、ノイズフィルタ回路１０を介して切替スイッチ８０と電源回路２０とを接続するＡＣ電源ライン８２との間に配置される。
【００２８】
以上の実施の形態６の放電灯点灯装置１００は、基板の外周に配線されたスイッチング回路の高周波電流が流れるプリント配線及び基板外周に配線された放電灯負荷回路の高周波電流が流れるプリント配線基板配線と、スイッチ機構に接続されているＡＣ電源ライン８２との間に、所定の回路を制御する動作電圧３０ボルト以下の制御回路９０を配置したので、制御回路９０中のノイズ成分を除去する目的で配置されたコンデンサにより、高周波パターンから伝搬されたノイズが減衰される効果がある。
【００２９】
実施の形態７．
図１０、図１１を参照して実施の形態７の照明器具１０００を説明する。図１０は、実施の形態７の照明器具１０００の外観を示す図である。外観は従来技術で説明した図１２と同様であるが、内蔵する放電灯点灯装置が、実施の形態１〜６で説明したいずれかの放電灯点灯装置１００であることが従来と異なる。図１０に示すように、上記の実施の形態１〜６で述べた切替スイッチ８０のＡＣ電源ライン８２には、商用交流電源１を供給するリード線であるＡＣ供給線が接続する。切替スイッチ８０は、このＡＣ供給線から供給される交流電源をＯＮ／ＯＦＦする。実施の形態１〜６の放電灯点灯装置を用いない場合は、高周波放射ノイズがノイズフィルタ回路１０を介さず、直にＡＣ電源ライン８２へ伝搬され、ＡＣ供給線の供給元まで伝搬し、音端子電圧や妨害電力といったノイズ性能が悪化することとなる。
【００３０】
図１１は、ランプＡ用ソケットを示す図である。実施の形態７の照明器具１０００は、図１１（ａ）に示すように、ランプＡ用口出し部７１に取り付けられた口出し線７１１〜７１４（第１口出し線）と、口出し線７１１〜７１４のランプＡ用口出し部７１の側と反対の側に取り付けられたランプＡ用ソケット（第１ソケット）とを備える。ランプＡ用ソケットは、図１１（ｂ）に示すようにランプＡの口金ピンが挿入される。ランプＡ用口出し部７１の場合と同様であるため図示は省略したが、同様に、照明器具１０００は、ランプＢ用口出し部７２に取り付けられた口出し線７２１〜７２４（第２口出し線）と、口出し線７２１〜７２４のランプＢ用口出し部７２の側と反対の側に取り付けられた第ランプＢ用ソケット（第２ソケット）とを備えている。これらはランプＡ用口出し部７１の場合と同様であるため、図示は省略した。
【００３１】
実施の形態７の照明器具１０００は、実施の形態１〜６で説明したいずれかの放電灯点灯装置１００を備えたので、高周波パターンから放射されるノイズが、電源ラインへ戻る事を最小限に防ぐことができる。
【図面の簡単な説明】
【００３２】
【図１】実施の形態１のプリント配線基板６０をパターン面からみた図。
【図２】実施の形態１のスイッチング回路３０及び放電灯負荷回路４０のプリント配線を具体的に示す図。
【図３】実施の形態１の放電灯点灯装置１００の回路図の一例。
【図４】実施の形態２のプリント配線基板６０をパターン面からみた図。
【図５】実施の形態３のプリント配線基板６０をパターン面からみた図。
【図６】実施の形態４のプリント配線基板６０をパターン面からみた図。
【図７】実施の形態４の制御回路パターン中のノイズ除去用コンデンサを示す図。
【図８】実施の形態５のプリント配線基板６０をパターン面からみた図。
【図９】実施の形態６のプリント配線基板６０をパターン面からみた図。
【図１０】実施の形態７の照明器具１０００の外観を示す図。
【図１１】実施の形態７のランプＡ用ソケットを示す図。
【図１２】従来例を示す図。
【図１３】従来例を示す図。
【図１４】従来例を示す図。
【図１５】従来例を示す図。
【符号の説明】
【００３３】
Ａ  ランプ、Ｂ  ランプ、１  商用交流電源、１０  ノイズフィルタ回路、１００  放電灯点灯装置、１０００  照明器具、２０  電源回路、２１  ダイオードブリッジ、２２  昇圧チョッパ回路、２０１  第１パターン、２０２  第２パターン、２０３  第３パターン、２０４  第４パターン、２０５  第５パターン、３０  スイッチング回路、３１，３２  スイッチング素子、３３  中間点、３０１  パターン、４０  放電灯負荷回路、４１  共振用インダクタ、４２  始動用コンデンサ、４３  予熱用コンデンサ、４４  結合コンデンサ、５０  制御回路、６０  プリント配線基板、７１  ランプＡ用口出し部、７２  ランプＢ用口出し部、７１−１  接続点、７１−２  接続点、７１−３  接続点、７１−４  接続点、７２−１  接続点、７２−２  接続点、７２−３  接続点、７２−４  接続点、７１１  口出し線、７１２  口出し線、７１３  口出し線、７１４  口出し線、７２１  口出し線、７２２  口出し線、７２３  口出し線、７２４  口出し線、８０  切替スイッチ、８１  引き紐、８２  ＡＣ電源ライン、９０  制御回路。
【図１】
0005219473.tif 000002
【図２】
0005219473.tif 000003
【図３】
0005219473.tif 000004
【図４】
0005219473.tif 000005
【図５】
0005219473.tif 000006
【図６】
0005219473.tif 000007
【図７】
0005219473.tif 000008
【図８】
0005219473.tif 000009
【図９】
0005219473.tif 000010
【図１０】
0005219473.tif 000011
【図１１】
0005219473.tif 000012
【図１２】
0005219473.tif 000013
【図１３】
0005219473.tif 000014
【図１４】
0005219473.tif 000015
【図１５】
0005219473.tif 000016